(57)【要約】【課題】課金装置における料金不足に起因して分割された送受信についての手間が軽減されて作業効率の向上が図られたファクシミリ装置を提供する。【解決手段】ファクシミリ装置である複合機１は、課金装置４０と、原稿を読み取る画像読取部４と、設定入力を受け付ける設定入力部である操作パネル５と、少なくとも操作パネル５に入力された設定内容を記憶するとともに、受信側ファクシミリ装置に送信する原稿の画像データを１または複数ページ分記憶する記憶部２３と、受信側ファクシミリ装置に画像データを送信する通信部３０と、操作パネル５にファクシミリ送信開始指示がなされた後に、課金装置４０に投入された金額が記憶部２３に記憶された全ページ分の画像データを通信部３０から送信するに足りない不足状態となったとき、設定内容を呼び出すための識別コードを出力する操作パネル５と、を備える。【選択図】図３
2012054631.tif 000002
【特許請求の範囲】
【請求項１】
ファクシミリ送信に対して料金を課す課金装置と、
ファクシミリ送信のための原稿を読み取る画像読取部と、
ファクシミリ送信に関する設定の入力を受け付ける設定入力部と、
少なくとも前記設定入力部に入力された設定内容を記憶するとともに、受信側ファクシミリ装置に送信するデータであり、前記画像読取部の読み取りに基づく原稿の画像データを１または複数ページ分記憶する記憶部と、
受信側ファクシミリ装置に前記画像データを送信する第１通信部と、
前記設定入力部にファクシミリ送信開始指示がなされた後に、前記課金装置に投入された金額が前記記憶部に記憶された全ページ分の前記画像データを前記第１通信部から送信するに足りない不足状態となったとき、前記設定内容を呼び出すための識別コードを出力する出力部と、
を備えることを特徴とするファクシミリ装置。
【請求項２】
前記ファクシミリ送信開始指示がなされた後に前記不足状態となったとき、
前記第１通信部は、全ページのうち一部の前記画像データを送信するとともに、全ページのうち未送信の前記画像データのページ数を示すページ数データを送信することを特徴とする請求項１に記載のファクシミリ装置。
【請求項３】
前記出力部は、用紙に印刷を行う第１印刷部であり、
前記第１印刷部は、前記設定内容と対応づけられた前記識別コードを含む送信レポートを印刷し、
前記設定入力部は、前記識別コードの入力を受け付け、入力された前記識別コードに対応する前記設定内容による設定がなされた状態になることを特徴とする請求項１または請求項２に記載のファクシミリ装置。
【請求項４】
前記出力部は、情報を表示する表示部であり、
前記表示部は、前記設定内容と対応づけられた前記識別コードを表示し、
前記設定入力部は、前記識別コードの入力を受け付け、入力された前記識別コードに対応する前記設定内容による設定がなされた状態になることを特徴とする請求項１〜請求項３のいずれか１項に記載のファクシミリ装置。
【請求項５】
前記課金装置に金銭が投入された後、前記識別コードが前記設定入力部に入力され、前記ファクシミリ送信開始指示がなされたとき、
前記第１通信部は、前記識別コードに対応する前記設定内容に基づき、既送信のページの次のページから前記画像データを送信することを特徴とする請求項１〜請求項４のいずれか１項に記載のファクシミリ装置
【請求項６】
前記出力部は、用紙に印刷を行う第１印刷部であり、
前記第１印刷部は、前記設定内容と対応づけられた前記識別コードを含む送信レポートを印刷し、
前記設定入力部は、前記画像読取部によって読み取られた前記識別コードに対応する前記設定内容による設定がなされた状態になることを特徴とする請求項１〜請求項５のいずれか１項に記載のファクシミリ装置。
【請求項７】
前記課金装置に金銭が投入された後、前記画像読取部が前記識別コードを読み取り、前記ファクシミリ送信開始指示がなされたとき、
前記第１通信部は、前記識別コードに対応する前記設定内容に基づき、既送信のページの次のページから前記画像データを送信することを特徴とする請求項６に記載のファクシミリ装置。
【請求項８】
前記第１印刷部は、前記送信レポートに、送信済ページ数、及び／または、前記受信側ファクシミリ装置に送信済のページの縮小画像を印刷することを特徴とする請求項３〜請求項７のいずれか１項に記載のファクシミリ装置。
【請求項９】
前記記憶部は、前記送信開始指示がなされた後に前記不足状態となったとき、予め定められた保持時間を経過しても、前記識別コードの入力または前記画像読取部における前記識別コードの読み取りがなされない場合、前記設定内容と、前記設定内容に対応する前記画像データの記憶とを消去することを特徴とする請求項３〜請求項８のいずれか１項に記載のファクシミリ装置。
【請求項１０】
送信側ファクシミリ装置から送信されるデータを受信する第２通信部と、
前記第２通信部での受信データに基づき印刷を行う第２印刷部と、を備え、
前記第２通信部が、全ページのうち送信側ファクシミリ装置が未送信の画像データのページ数を示すページ数データを送信側ファクシミリ装置から受信すると、
前記第２印刷部は、受信した画像データに基づき印刷するとともに、続きのページがある旨の受信レポートを印刷することを特徴とするファクシミリ装置。
【請求項１１】
前記第２印刷部は、前記第２通信部が前記ページ数データを受信してから、予め定められた待ち時間を経過した後、前記画像データに基づき印刷を行うことを特徴とする請求項１０記載のファクシミリ装置。
【請求項１２】
前記第２通信部が、前記ページ数データを受信した後、残りのページの画像データである遅着画像データを受信し、前記遅着画像データに基づき印刷を行うとき、
前記第２印刷部は、先に受信した画像データの続きである旨の前記受信レポートを印刷することを特徴とする請求項１０及び請求項１１に記載のファクシミリ装置。
【請求項１３】
前記第２印刷部は、前記受信レポートを印刷する際、先に受信して印刷したページを前記受信レポート内に印刷することを特徴とする請求項１２に記載のファクシミリ装置。
【請求項１４】
送信側ファクシミリ装置と受信側ファクシミリ装置からなり、
請求項１〜請求項９のいずれか１項に記載のファクシミリ装置を前記送信側ファクシミリ装置とし、
請求項１０〜請求項１３のいずれか１項に記載のファクシミリ装置を前記受信側ファクシミリ装置とすることを特徴とするファクシミリ通信システム。
【発明の詳細な説明】
【技術分野】
【０００１】
本発明は、ファクシミリ装置及びファクシミリ通信システムに関する。
【背景技術】
【０００２】
従来、ファクシミリ装置にはファクシミリ送信を実行する際に料金を要求する課金装置を備えたものが存在する。このような課金装置を備えたファクシミリ装置はコンビニエンスストアなどの店舗に広く普及している。課金装置を備えたファクシミリ装置は、送信者に例えば３００円などといった規定の料金を投入させ、例えば５枚といった規定の原稿枚数を送信できるようにしている仕様が多い。
【０００３】
このようなファクシミリ装置では規定の料金に対する原稿枚数を超える枚数の原稿を送信したい場合、送信の途中で料金不足になって送信が終了される虞がある。そこで、送信の途中で料金不足になっても追加料金を投入することでファクシミリ送信を継続できる技術が提案され、その一例を特許文献１に見ることができる。特許文献１に記載されたファクシミリ装置は料金不足になったとき、送信者が料金を追加するまで所定時間、送信動作を停止するようにしている。
【先行技術文献】
【特許文献】
【０００４】
【特許文献１】特開平１１−２２０６０４号公報（第３頁、図４）
【発明の概要】
【発明が解決しようとする課題】
【０００５】
ファクシミリの送信では宛先である送信アドレス（ＦＡＸ番号）の入力や送信者名の設定など、個人情報や機密情報を含む設定入力がファクシミリ装置に対して行われる。一方、コンビニエンスストアなどに設置されるファクシミリ装置は不特定の者が利用するので、送信が完了すると設定がリセットされていた。そして、特許文献１に記載されたファクシミリ装置は料金不足になった後に所定時間を経過しても追加料金が投入されない場合、料金不足を表示してそのまま送信動作を終了してしまう。これにより、所望の原稿枚数の途中でファクシミリ送信が中断されることになり、ファクシミリ装置の使用に係る作業が非常に煩わしくなる可能性がある。
【０００６】
すなわち、送信側ファクシミリ装置では再送信のために再度原稿の画像データを装置に読み取らせる必要があったり、送信アドレス（ＦＡＸ番号）などの送信に係る設定入力を再度やり直す必要があったり、非常に手間が掛かる。また、受信側ファクシミリ装置では受信文書が途切れ、分割されて送られてくることになると、それら分割された受信文書の間に他の無関係の受信文書が挿入されると非常に煩わしい分別作業を行わなければならない虞がある。
【０００７】
本発明は上記の点に鑑みなされたものであり、課金装置を備えた送信側ファクシミリ装置において送信動作の途中で料金不足に起因して分割送信となったり、それに対する受信側ファクシミリ装置において受信文書が分割されて送られてきたりする虞がある場合に、分割された送受信についての手間が軽減されて作業効率の向上が図られたファクシミリ装置及びファクシミリ通信システムを提供することを目的とする。
【課題を解決するための手段】
【０００８】
上記の課題を解決するため、本発明はファクシミリ装置において、ファクシミリ送信に対して料金を課す課金装置と、ファクシミリ送信のための原稿を読み取る画像読取部と、ファクシミリ送信に関する設定の入力を受け付ける設定入力部と、少なくとも前記設定入力部に入力された設定内容を記憶するとともに、受信側ファクシミリ装置に送信するデータであり、前記画像読取部の読み取りに基づく原稿の画像データを１または複数ページ分記憶する記憶部と、受信側ファクシミリ装置に前記画像データを送信する第１通信部と、前記設定入力部にファクシミリ送信開始指示がなされた後に、前記課金装置に投入された金額が前記記憶部に記憶された全ページ分の前記画像データを前記第１通信部から送信するに足りない不足状態となったとき、前記設定内容を呼び出すための識別コードを出力する出力部と、を備えることとした。
【０００９】
この構成によれば、料金不足で一部の画像データの送信しかできずに送信が完了しても、記憶部に記憶された設定内容を残りの画像データを送信する際に呼び出すことができる。したがって、再送信の際、煩雑な設定入力のやり直しを防ぐことができる。また、識別コードを用いることにより設定内容を誰でも呼び出せるわけでもなく、情報セキュリティの安全性を高めることができる。
【００１０】
また、上記構成のファクシミリ装置において、前記ファクシミリ送信開始指示がなされた後に前記不足状態となったとき、前記第１通信部は、全ページのうち一部の前記画像データを送信するとともに、全ページのうち未送信の前記画像データのページ数を示すページ数データを送信することとした。
【００１１】
この構成によれば、受信側ファクシミリ装置に対して、一部の画像データのみの送信で全ページ分の画像データの送信ではないことを伝えることができる。
【００１２】
また、上記構成のファクシミリ装置において、前記出力部は、用紙に印刷を行う第１印刷部であり、前記第１印刷部は、前記設定内容と対応づけられた前記識別コードを含む送信レポートを印刷し、前記設定入力部は、前記識別コードの入力を受け付け、入力された前記識別コードに対応する前記設定内容による設定がなされた状態になることとした。
【００１３】
この構成によれば、送信者は印刷された識別コードを入力することにより、容易に設定内容を呼び出すことができる。
【００１４】
また、上記構成のファクシミリ装置において、前記出力部は、情報を表示する表示部であり、前記表示部は、前記設定内容と対応づけられた前記識別コードを表示し、前記設定入力部は、前記識別コードの入力を受け付け、入力された前記識別コードに対応する前記設定内容による設定がなされた状態になることとした。
【００１５】
この構成によれば、送信者は表示された識別コードを入力することにより、容易に設定内容を呼び出すことができる。また、識別コードは印刷されず形として残らないので、第三者への識別コードの漏洩を防ぐことができる。
【００１６】
また、上記構成のファクシミリ装置において、前記課金装置に金銭が投入された後、前記識別コードが前記設定入力部に入力され、前記ファクシミリ送信開始指示がなされたとき、前記第１通信部は、前記識別コードに対応する前記設定内容に基づき、既送信のページの次のページから前記画像データを送信することとした。
【００１７】
この構成によれば、続きのページから送信することができる。したがって、重複した画像データの無駄なデータの送信を防ぐことが可能である。
【００１８】
また、上記構成のファクシミリ装置において、前記出力部は、用紙に印刷を行う第１印刷部であり、前記第１印刷部は、前記設定内容と対応づけられた前記識別コードを含む送信レポートを印刷し、前記設定入力部は、前記画像読取部によって読み取られた前記識別コードに対応する前記設定内容による設定がなされた状態になることとした。
【００１９】
この構成によれば、送信者は画像読取部で識別コードを読み取らせることにより、容易に設定内容を呼び出すことができる。
【００２０】
また、上記構成のファクシミリ装置において、前記課金装置に金銭が投入された後、前記画像読取部が前記識別コードを読み取り、前記ファクシミリ送信開始指示がなされたとき、前記第１通信部は、前記識別コードに対応する前記設定内容に基づき、既送信のページの次のページから前記画像データを送信することとした。
【００２１】
この構成によれば、続きのページから送信することができる。したがって、重複した画像データの無駄なデータの送信を防ぐことが可能である。
【００２２】
また、上記構成のファクシミリ装置において、前記第１印刷部は、前記送信レポートに、送信済ページ数、及び／または、前記受信側ファクシミリ装置に送信済のページの縮小画像を印刷することとした。
【００２３】
この構成によれば、どのページまで送信が行われたかを確認することができる。したがって、残りのページの送信を行うべきかを容易に確認することが可能である。
【００２４】
また、上記構成のファクシミリ装置において、前記記憶部は、前記送信開始指示がなされた後に前記不足状態となったとき、予め定められた保持時間を経過しても、前記識別コードの入力または前記画像読取部における前記識別コードの読み取りがなされない場合、前記設定内容と、前記設定内容に対応する前記画像データの記憶とを消去することとした。
【００２５】
コンビニエンスストアなどに設置された課金装置が取り付けられたファクシミリ装置は不特定の者が用いるので、ファクシミリ装置にあまりに長く画像データや設定内容を保存しておくことは機密情報や個人情報が漏洩する虞があり好ましくないといえる。そこで、この構成によれば、設定内容や画像データが長期間にわたって記憶されることがなくなる。例えば、保持期間は数分、数十分、数時間など、お金を取りに戻った送信者が戻ってくるまでの時間を考慮して定めることができる。
【００２６】
また、上記構成のファクシミリ装置において、送信側ファクシミリ装置から送信されるデータを受信する第２通信部と、前記第２通信部での受信データに基づき印刷を行う第２印刷部と、を備え、前記第２通信部が、全ページのうち送信側ファクシミリ装置が未送信の画像データのページ数を示すページ数データを送信側ファクシミリ装置から受信すると、前記第２印刷部は、受信した画像データに基づき印刷するとともに、続きのページがある旨の受信レポートを印刷することとした。
【００２７】
この構成によれば、受信者はまだ送信され得る画像データがあることを認識することができる。また、受信者は、遅れて到着した画像データに基づく印刷物と先に到着した画像データに基づく印刷物とが関連して一連の印刷物であると容易に認識することができる。
【００２８】
また、上記構成のファクシミリ装置において、前記第２印刷部は、前記第２通信部が前記ページ数データを受信してから、予め定められた待ち時間を経過した後、前記画像データに基づき印刷を行うこととした。
【００２９】
この構成によれば、待ち時間中に遅れて画像データが到達すれば、送信が複数回に分割されて受信に時間差があっても一連の画像データをまとめて印刷することができる。したがって、受信者は全画像データを一連の印刷物として得ることができる。
【００３０】
また、上記構成のファクシミリ装置において、前記第２通信部が、前記ページ数データを受信した後、残りのページの画像データである遅着画像データを受信し、前記遅着画像データに基づき印刷を行うとき、前記第２印刷部は、先に受信した画像データの続きである旨の前記受信レポートを印刷することとした。
【００３１】
この構成によれば、受信者は、遅れて到着した画像データに基づく印刷物と先に到着した画像データに基づく印刷物とが関連して一連の印刷物であると容易に認識することができる。
【００３２】
また、上記構成のファクシミリ装置において、前記第２印刷部は、前記受信レポートを印刷する際、先に受信して印刷したページを前記受信レポート内に印刷することとした。
【００３３】
この構成によれば、先に印刷されたページが示され、遅れて到着した画像データに基づく印刷物が先に印刷された画像データのうちどの印刷物に連なるものかを容易に把握することができる。
【００３４】
また、本発明はファクシミリ通信システムにおいて、上記構成の送信側ファクシミリ装置と、上記構成の受信側ファクシミリ装置からなることとした。
【００３５】
この構成によれば、ファクシミリ通信システムは、送信側ファクシミリ装置において再送信の際に煩雑な設定入力のやり直しを防ぐことができ、受信側ファクシミリ装置において遅れて到着した画像データに基づく印刷物が先に印刷された画像データのうちどの印刷物に連なるものかを容易に把握することができる。
【発明の効果】
【００３６】
本発明の構成によれば、課金装置を備えた送信側ファクシミリ装置において送信動作の途中で料金不足に起因して分割送信となったり、それに対する受信側ファクシミリ装置において受信文書が分割されて送られてきたりする虞がある場合に、分割された送受信についての手間が軽減されて作業効率の向上が図られたファクシミリ装置及びファクシミリ通信システムを提供することが可能である。
【図面の簡単な説明】
【００３７】
【図１】本発明の第１の実施形態に係るファクシミリ通信システムの概略図である。
【図２】図１に示すファクシミリ通信システムの複合機の模型的垂直断面正面図である。
【図３】図１のファクシミリ通信システムの構成を示すブロック図である。
【図４】図１の複合機における課金を伴うファクシミリ送信動作を示すフローチャートである。
【図５】図１の複合機における課金を伴うファクシミリ送信動作を示すフローチャートである（図４の続き）。
【図６】図１の複合機の送信レポートを示す説明図である。
【図７】本発明の第２の実施形態に係るファクシミリ装置である複合機の送信レポートを示す説明図である。
【図８】本発明の第３の実施形態に係るファクシミリ通信システムの受信側ファクシミリ装置のファクシミリ受信動作を示すフローチャートである。
【図９】図８の受信側ファクシミリ装置の受信レポートの第一例を示す説明図である。
【図１０】図８の受信側ファクシミリ装置の受信レポートの第二例を示す説明図である。
【発明を実施するための形態】
【００３８】
以下、本発明の実施形態を図１〜図１０に基づき説明する。
【００３９】
なお、ここでは、本発明のファクシミリ通信システムが、例えば少なくとも２台のファクシミリ装置を含むものとする。以下の説明では、送信側ファクシミリ装置と受信側ファクシミリ装置とを区別するため、便宜上、送信側ファクシミリ装置を「複合機」と称し、受信側ファクシミリ装置を「ファクシミリ装置」と称する。
【００４０】
最初に、本発明の第１の実施形態に係るファクシミリ通信システムについて、図１を用いてその構成の概略を説明する。図１はファクシミリ通信システムの概略図である。
【００４１】
ファクシミリ通信システムＳは、図１に示すように送信側ファクシミリ装置である複合機１と、受信側のファクシミリ装置１００とを備えている。
【００４２】
複合機１はファクシミリ機能のほか、コピー、スキャン、プリンタの各機能も備えている。さらに、複合機１は図示しない通信用ケーブルで接続された課金装置４０を備えている。課金装置４０はファクシミリ送信に対して料金を課すための装置でコインベンダーとも呼ばれている。複合機１と課金装置４０の組み合わせは、例えばコンビニエンスストア、図書館、ショッピングセンター等に設置されている。
【００４３】
受信側のファクシミリ装置１００は、電話回線を通じ、画像データを複合機１から受信する。ファクシミリ通信システムＳにおけるファクシミリ装置１００はファクシミリ受信機能があれば良い。例えば、受信側のファクシミリ装置１００としては送信側の複合機１と同タイプのものを用いることができる。ただし、受信側では課金装置は不要である。一般に、ファクシミリ装置１００は送信、受信の両機能を含んでいる。なお、便宜上、図１ではファクシミリ通信システムＳに２台のファクシミリ装置が含まれる例を示しているが、３台以上の装置が含まれても良い。
【００４４】
続いて、複合機１について、図２及び図３を用いてその構造の概略を説明しつつ、画像出力動作を説明する。図１は複合機１の模型的垂直断面正面図、図２はファクシミリ通信システムＳの構成を示すブロック図である。なお、本実施形態の説明では、送信側と受信側のファクシミリ装置として同タイプのものを用いているので、受信側のファクシミリ装置１００にも図２及び図３を用いた説明を適用できる。
【００４５】
図２に示すように、複合機１の本体２の上面には原稿搬送装置３が、その下方の本体２内部には画像読取部４が備えられている。送信者が原稿のファクシミリ送信を行う場合には、文字や図形、模様などの画像が描かれた原稿を、原稿搬送装置３に積載したり、画像読取部４上面のコンタクトガラス４ａ上に載置したりする。原稿搬送装置３では１枚或いは複数枚の原稿が１枚ずつ分離して送り出され、画像読取部４によってその画像が読み取られる。コンタクトガラス４ａ上の原稿に対しては、画像読取部４内で光を走査させることによって画像が読み取られる。
【００４６】
原稿画像の読み取り、すなわちファクシミリ送信の開始は本体２の上部であって画像読取部４の正面側に備えられた操作パネル５を用いて実行される。ファクシミリ送信開始指示は操作パネル５のスタートボタン５ａを押下することによってなされる。操作パネル５は、ファクシミリ送信における送信アドレス（ＦＡＸ番号）や送信者名などの設定の入力を受け付ける設定入力部として、さらに設定内容などの各種情報を表示する表示部（出力部）として機能する。
【００４７】
一方、複合機１の本体２の画像読取部４より下方には第１印刷部である印刷部６が備えられている。印刷部６は給紙部７、用紙搬送部８、露光部９、画像形成部１０、中間転写ベルト１１、一次転写部１２、二次転写部１３、及び定着部１４を備えている。
【００４８】
給紙部７は給紙カセット７ａを備え、本体２の内部下方に配置されている。給紙カセット７ａはその内部に印刷前のカットペーパーなどの用紙Ｐを積載して収容している。そして、この用紙Ｐは図１において給紙カセット７ａの左上方に向け、１枚ずつ分離されて送り出される。給紙カセット７ａは本体２の正面側から水平に引き出すことが可能である。
【００４９】
用紙搬送部８は本体２内部の給紙部７の左方に備えられ、本体２の左側面に沿って略垂直に形設されている。そして、用紙搬送部８は給紙部７から送り出された用紙Ｐを受け取り、本体２の左側面に沿って垂直上方に二次転写部１３まで搬送する。
【００５０】
露光部９は給紙部７の上方であって、本体２の略中央部に配置されている。原稿の画像データの印刷を行う場合、画像データの情報は後述する制御部や画像処理部を経由して画像処理が施された後、この露光部９に送られる。露光部９により、画像データに基づいて制御されたレーザ光Ｌが画像形成部１０に向かって照射される。
【００５１】
露光部９の上方には計４台の画像形成部１０が、さらにそれら各画像形成部１０の上方には中間転写体を無端ベルトの形で用いた中間転写ベルト１１が備えられている。中間転写ベルト１１は複数のローラに巻き掛けられて支持され、図示しない駆動装置により図２において時計方向に回転する。
【００５２】
４台の画像形成部１０は、図２に示すように中間転写ベルト１１の回転方向に沿って回転方向上流側から下流側に向けて一列にして配置された所謂タンデム方式である。４台の画像形成部１０とは、上流側から順にイエロー用の画像形成部１０Ｙ、マゼンタ用の画像形成部１０Ｍ、シアン用の画像形成部１０Ｃ、及びブラック用の画像形成部１０Ｂである。これらの画像形成部１０には、各色に対応する現像剤供給容器及び搬送手段（図示せず）により現像剤（トナー）が補給される。なお、以下の説明において、特に限定する必要がある場合を除き、画像形成部１０の「Ｙ」「Ｍ」「Ｃ」「Ｂ」の識別記号は省略するものとする。
【００５３】
各画像形成部１０では、露光部９によって照射されたレーザ光Ｌにより原稿画像の静電潜像が形成され、この静電潜像からトナー像が現像される。トナー像は、各画像形成部１０の上方に備えられた一次転写部１２で、中間転写ベルト１１表面に一次転写される。そして、中間転写ベルト１１の回転とともに所定のタイミングで各画像形成部１０のトナー像が中間転写ベルト１１に転写されることにより、中間転写ベルト１１表面にはイエロー、マゼンタ、シアン、ブラックの４色のトナー像が重ね合わされたカラートナー像が形成される。
【００５４】
中間転写ベルト１１が用紙搬送路に懸かる箇所には二次転写部１３が配置されている。中間転写ベルト１１表面のカラートナー像は用紙搬送部８によって同期をとって送られてきた用紙Ｐに、二次転写部１３に形成される二次転写ニップ部で転写される。
【００５５】
二次転写部１３の上方には定着部１４が備えられている。二次転写部１３にて未定着トナー像を担持した用紙Ｐは定着部１４へと送られ、熱ローラと加圧ローラとによりトナー像が加熱、加圧されて定着される。
【００５６】
定着部１４の上方には用紙排出口１５が、さらにその右方には胴内用紙排出部１６が備えられている。定着部１４から排出された用紙Ｐは用紙排出口１５を通して胴内用紙排出部１６に排出される。
【００５７】
また、複合機１は装置全体の動作制御のため、図３に示すようにその本体２内にＣＰＵ２１やその他の図示しない電子部品で構成された本体制御部２０を備えている。本体制御部２０は中央演算処理装置であるＣＰＵ２１と画像処理部２２とを利用し、記憶部２３等に記憶、入力されたプログラム、データに基づき画像読取部４、画像形成部１０、中間転写ベルト１１、定着部１４などといった構成要素を制御して一連の印刷動作やファクシミリ送受信動作を実現する。記憶部２３は操作パネル５から入力されたファクシミリ送信に関する設定内容や、画像読取部４の読み取りに基づく原稿の画像データを複数ページ分記憶する。また、本体制御部２０は時間を計測する計時部２４を備え、各種時間を把握できる。なお、画像処理部２２や記憶部２３、計時部２４は本体制御部２０の外部にあっても良い。
【００５８】
そして、複合機１はファクシミリ装置１００などの外部の通信装置とファクシミリ送受信といった通信を行うための第１通信部である通信部３０を備えている。通信部３０は電話回線やネットワーク回線が接続され、これら回線を利用して外部の通信装置と画像データなどの授受を行う。通信部３０と本体制御部２０は通信可能に接続されている。本体制御部２０は通信部３０に画像データ等を与え、ファクシミリ装置１００に向けてデータを送信させる。また、通信部３０が外部装置から受信したデータは本体制御部２０に伝達される。
【００５９】
また、複合機１は前述のように課金装置４０を備えている。課金装置４０は料金投入口４１、残金表示部４２、返却ボタン４３、及び料金返却口４４を備えている。複合機１でファクシミリ送信や印刷を行う場合、使用者は料金投入口４１に金銭を投入する。本体制御部２０は入金された旨とその金額を示すデータとを課金装置４０から受信する。これにより、本体制御部２０は複合機１を使用可能な（ファクシミリ送信や印刷が可能な）状態にしてファクシミリ送信開始指示を受け付ける。
【００６０】
投入された金銭に対応する金額は残金表示部４２に表示される。残金はファクシミリ送信や印刷を１ページ行うたびに減額され、返却ボタン４３を押すことにより料金返却口４４に返却される。そして、ファクシミリ送信や印刷を続けて行ったり、料金の返却が行われたりして残金不足、或いは残金０円となった場合、本体制御部２０は残金不足、或いは残金０円の旨のデータを課金装置４０から受信する。これにより、本体制御部２０は複合機１を使用不可能な（ファクシミリ送信や印刷が不可能な）状態にしてファクシミリ送信や印刷を実行しない。なお、入金は硬貨のほか紙幣で受け付けても構わない。
【００６１】
例えば、使用者は一定金額（例えば３００円程度）を課金装置４０に投入するとファクシミリ送信を行うことができる。ファクシミリ送信では宛先（国内や海外等）や送信サイズ（Ａ３、Ａ４等）により単価が定められている。例えば、一定金額は残金不足による途中ページでの送信終了をある程度防ぐ観点から、最も高い単価×複数枚数と設定できるが任意に定めることもできる。なお、課金装置４０によるコピー（複写印刷）では例えば１枚１０円などといった料金が課せられている。
【００６２】
一方、ファクシミリ通信によって画像データを受信する受信側のファクシミリ装置１００は、図３に示すように例えば第２通信部である通信部１０１と、第２印刷部である印刷部１０２とを少なくとも備えている。通信部１０１は複合機１から画像データ等のデータを受信する。印刷部１０２は受信した画像データに基づき印刷を実行する。
【００６３】
ここで、課金装置４０を備えた複合機１にはファクシミリ送信動作の途中で料金不足になり、一連の原稿を分割して送信しなければならない手間を軽減する機能が備わっている。これについて、複合機１は操作パネル５からファクシミリ送信開始指示がなされた後に、課金装置４０に投入された金額が原稿全ページ分の画像データを通信部３０から送信するに足りない不足状態となったとき、入力済みのファクシミリ送信に関する設定内容を後々呼び出すための識別コード（パスワード）を出力する。設定内容や未送信の画像データは記憶部２３に記憶され、所定の保持時間が経過する前に料金を追加して識別コードを入力することにより入力済みのファクシミリ送信に関する設定内容や未送信画像データを呼び出すことができる。
【００６４】
このような複合機１における課金を伴うファクシミリ送信動作について、図４及び図５に示すフローに沿って、図６を用いて説明する。図４及び図５はともに複合機１における課金を伴うファクシミリ送信動作を示すフローチャートであって、各々の図の結合子Ａ及びＢで結合されるべきフローチャートである。図６は複合機１の送信レポートを示す説明図である。なお、ファクシミリ送信では複数枚の原稿を送信するものとする。
【００６５】
課金装置４０を備えた複合機１が起動されると（図４のスタート）、本体制御部２０は課金装置４０からの情報に基づいて入金されたか否かを判定する（ステップ＃１０１）。課金装置４０に入金があった場合（ステップ＃１０１のＹｅｓ）、本体制御部２０は操作パネル５から識別コード（パスワード）が入力されたか否かを判定する（ステップ＃１０２）。
【００６６】
識別コードの入力がない場合（ステップ＃１０２のＮｏ）、続いて送信者によるファクシミリ送信に関する設定入力を受け付け、本体制御部２０はその設定内容を記憶部２３に記憶させる（ステップ＃１０３）。その後、本体制御部２０はファクシミリ送信開始指示となる操作パネル５のスタートボタン５ａが押されたか否かを判定し（ステップ＃１０４）、押されるまで待機する（ステップ＃１０４のＮｏ）。
【００６７】
ステップ＃１０４においてスタートボタン５ａが押下されると（ステップ＃１０４のＹｅｓ）、本体制御部２０は原稿搬送装置３と画像読取部４とに指令を送って複数枚の全原稿の画像データの読み取りを実行させ、その全ページ分の画像データを記憶部２３に記憶させる（ステップ＃１０５）。続いて図５に移り、本体制御部２０は通信部３０から１ページファクシミリ送信させる（ステップ＃１０６）。そして、本体制御部２０は全ページ分の送信が終了したか否かを判定する（ステップ＃１０７）。
【００６８】
全ページ分のファクシミリ送信が終了していない場合（ステップ＃１０７のＮｏ）、本体制御部２０は課金装置４０からの情報に基づいて残金があるか否かを判定する（ステップ＃１０８）。残金がある場合（ステップ＃１０８のＹｅｓ）、本体制御部２０は再びステップ＃１０６に戻って全ページの送信が終了する（ステップ＃１０７）か、残金が不足する（ステップ＃１０８）まで１ページずつファクシミリ送信を繰り返す。全ページのファクシミリ送信が終了すると（ステップ＃１０７のＹｅｓ）、本体制御部２０は操作パネル５にファクシミリ送信の正常終了を報知させ（ステップ＃１０９）、再びステップ＃１０１に戻って使用者からの入金を待つ初期状態とする。
【００６９】
一方、ステップ＃１０８において残金が不足する場合（ステップ＃１０８のＮｏ）、本体制御部２０はすでに送信した画像データに続いて、全ページのうち未送信の画像データのページ数を示すページ数データを送信する（ステップ＃１１０）。これにより、受信側のファクシミリ装置１００に対して、一部の画像データのみの送信で全ページ分の画像データの送信ではないことを伝えることができる。
【００７０】
続いて、本体制御部２０は入力済みの今回のファクシミリ送信に関する設定内容と対応付けられた識別コードを操作パネル５に表示する（ステップ＃１１１）。この識別コードは、前述のように入力済みのファクシミリ送信に関する設定内容を後々呼び出すための例えばパスワードであって、例えば４桁の数字などで表現されている。このように表示部である操作パネル５に識別コードを表示する場合、識別コードは印刷されず形として残らないので、第三者への識別コードの漏洩を防ぐことができる。
【００７１】
そして、本体制御部２０は印刷部６を制御し、図６に示す識別コードを含んだ送信レポートＲ１を印刷する（ステップ＃１１２）。送信レポートＲ１には４桁の数字で表現された識別コードのほか、送信済のページ数と、送信済ページの縮小画像とが印刷されている。これにより、どのページまで送信が行われたかを確認することができ、残りのページの送信を行うべきかを容易に確認することが可能である。その後、本体制御部２０は今回のファクシミリ送信についてのジョブを終了し（ステップ＃１１３）、再びステップ＃１０１に戻って使用者からの入金を待つ初期状態とする。
【００７２】
課金装置４０に対して入金があり（ステップ＃１０１のＹｅｓ）、操作パネル５から識別コードの入力が受け付けられた場合（ステップ＃１０２のＹｅｓ）、本体制御部２０はその識別コードに対応する設定内容が記憶部２３に記憶されているか否かを判定する（ステップ１１４）。設定内容が記憶部２３に記憶されていない場合（ステップ１１４のＮｏ）、本体制御部２０は操作パネル５に設定内容や未送信画像データが存在しないことを報知させ（ステップ＃１１５）、再びステップ＃１０１に戻って使用者からの入金を待つ初期状態とする。
【００７３】
ステップ＃１１４において設定内容が記憶部２３に記憶されている場合（ステップ＃１１４のＹｅｓ）、本体制御部２０は設定内容を記憶部２３から呼び出して、操作パネル５をその設定内容による設定がなされた状態にさせる（ステップ＃１１６）。これにより、送信者は識別コードを入力することで容易に設定内容を呼び出すことができる。その後、本体制御部２０はファクシミリ送信開始指示となる操作パネル５のスタートボタン５ａが押されたか否かを判定し（ステップ＃１１７）、押されるまで待機する（ステップ＃１１７のＮｏ）。
【００７４】
ステップ＃１１７においてスタートボタン５ａが押下されると（ステップ＃１１７のＹｅｓ）、本体制御部２０は識別コードに対応する設定内容に基づき、既送信ページの次のページを再送信開始ページに設定する（ステップ＃１１８）。続いて図５に移り、本体制御部２０は通信部３０から１ページファクシミリ送信させる（ステップ＃１０６）。これにより、続きのページから送信することができる。したがって、重複した画像データの無駄なデータの送信を防ぐことが可能である。
【００７５】
また、ステップ＃１０１において課金装置４０に対して入金がない場合（ステップ＃１０１のＮｏ）、本体制御部２０は記憶部２３に未送信画像データがあるか否かを判定する（ステップ＃１１９）。未送信画像データがない場合（ステップ＃１１９のＮｏ）、本体制御部２０は再びステップ＃１０１に戻って使用者からの入金を待つ初期状態とする。
【００７６】
ステップ＃１１９において未送信画像データがある場合（ステップ＃１１９のＹｅｓ）、本体制御部２０は予め定められた未送信画像データの保持時間が経過したか否かを判定する（ステップ＃１２０）。この保持時間は、例えば数分、数十分、数時間など、お金を取りに戻った送信者が戻ってくるまでの時間を考慮して定めることができ、本体制御部２０が計時部２４を制御して監視される。保持時間を経過していない場合（ステップ＃１２０のＮｏ）、本体制御部２０は再びステップ＃１０１に戻って使用者からの入金を待つ初期状態とする。
【００７７】
ステップ＃１２０において保持時間を経過した場合（ステップ＃１２０のＹｅｓ）、本体制御部２０は未送信画像データについての設定内容と、その設定内容に関する全画像データを記憶部２３から消去させる（ステップ＃１２１）。このように、予め定められた保持時間を経過しても識別コードの入力がない場合、設定内容と、その設定内容に関する全画像データとを消去するので、設定内容や画像データが長期間にわたって複合機１に記憶されることがなくなる。これにより、機密情報や個人情報の漏洩防止に対応することが可能である。
【００７８】
上記実施形態の構成によれば、料金不足で一部の画像データの送信しかできずに送信が完了しても、記憶部２３に記憶された設定内容を残りの画像データを送信する際に呼び出すことができる。したがって、再送信の際、煩雑な設定入力のやり直しを防ぐことができる。また、識別コードを用いることにより設定内容を誰でも呼び出せるわけでもなく、情報セキュリティの安全性を高めることができる。
【００７９】
そして、課金装置を備えた送信側ファクシミリ装置である複合機１において、料金不足に起因して分割されたファクシミリ送信についての手間が軽減されて作業効率の向上が図られた複合機１及びファクシミリ通信システムＳを提供することが可能である。
【００８０】
次に、本発明の第２の実施形態に係るファクシミリ装置である複合機について、図７を用いて説明する。図７はファクシミリ装置である複合機の送信レポートを示す説明図である。なお、図７の送信レポートは上側の一部のみを描画している。また、この実施形態の基本的な構成は図１〜図６を用いて説明した前記第１の実施形態と同じであるので、第１の実施形態と共通する構成要素には前と同じ符号を付し、図面の記載及びその説明を省略するものとする。
【００８１】
第２の実施形態に係る複合機１はスタートボタン５ａを押してファクシミリ送信開始指示がなされた後に料金の不足状態となったとき、図７に示す送信レポートＲ２を印刷する。送信レポートＲ２には送信済ページ数のほか、バーコードタイプの識別コードが印刷されている。このバーコードタイプの識別コードは送信レポートＲ２の例えば右上部など、予め定められた箇所に印刷されている。
【００８２】
識別コードの入力を求められたとき、送信者はバーコードタイプの識別コードが印刷された送信レポートを原稿搬送装置３またはコンタクトガラス４ａ上に載置し、画像読取部４によってその画像を読み取らせることができる。本体制御部２０は画像処理部２２を利用してバーコードを判別させ、識別コードに対応する設定内容を記憶部２３から呼び出し、操作パネル５をその設定内容による設定がなされた状態にさせる。このように、送信者は画像読取部４で識別コードを読み取らせることにより、容易に設定内容を呼び出すことができる。
【００８３】
続いて、本体制御部２０は画像読取部４で読み取ったバーコードタイプの識別コードに対応する設定内容に基づき、既送信ページの次のページを再送信開始ページに設定して通信部３０から１ページずつファクシミリ送信させる。これにより、識別コードを画像読取部４で読み取った場合でも、続きのページから送信することができる。したがって、重複した画像データの無駄なデータの送信を防ぐことが可能である。
【００８４】
なお、識別コードとして使用したバーコードは、画像読取部４で読み取り、判別が可能であればその他の模様、柄などを利用したコードに代えても良い。
【００８５】
次に、本発明の第３の実施形態に係るファクシミリ通信システムの受信側のファクシミリ装置について、図８〜図１０を用いて説明する。図８は受信側ファクシミリ装置のファクシミリ受信動作を示すフローチャート、図９は受信側ファクシミリ装置の受信レポートの第一例を示す説明図、図１０は受信側ファクシミリ装置の受信レポートの第二例を示す説明図である。なお、図９の受信レポートは上側の一部のみを描画している。また、この実施形態の基本的な構成は図１〜図６を用いて説明した前記第１の実施形態と同じであるので、第１の実施形態と共通する構成要素には前と同じ符号を付し、図面の記載及びその説明を省略するものとする。
【００８６】
受信側のファクシミリ装置１００は起動後（図８のスタート）、送信側のファクシミリ装置である例えば複合機１から送信されてきたデータを、通信部１０１を介して受信する（ステップ＃２０１）。そして、ファクシミリ装置１００は複合機１が送信すべき画像データ全ページのうち未送信のページ数を示すページ数データを受信したか否かを判定する（ステップ＃２０２）。ページ数データを受信しなかった場合（ステップ＃２０２のＮｏ）、ファクシミリ装置１００は印刷部１０２を制御して受信データを印刷させ（ステップ＃２０３）、一連のファクシミリ受信動作を終了させる（図８のエンド）。
【００８７】
ステップ＃２０２においてページ数データを受信した場合（ステップ＃２０２のＹｅｓ）、ファクシミリ装置１００は予め定められた受信データの待ち時間が経過したか否かを判定する（ステップ＃２０４）。この待ち時間は、例えば数分、数十分、数時間など、ページ数データを受信した後に残りのページの画像データである遅着画像データを受信するまでの時間を考慮して定めることができる。待ち時間を経過していない場合（ステップ＃２０４のＮｏ）、ファクシミリ装置１００は遅着画像データを受信したか否か判定する（ステップ＃２０５）。遅着画像データを受信していない場合（ステップ＃２０５のＮｏ）、再びステップ２０４に戻り、ファクシミリ装置１００は待ち時間の経過（ステップ＃２０４）と、遅着画像データの受信（ステップ＃２０５）との判定を繰り返す。
【００８８】
ステップ＃２０４において待ち時間が経過した場合（ステップ＃２０４のＹｅｓ）、ファクシミリ装置１００は印刷部１０２を制御して受信データを印刷させる（ステップ＃２０６）。さらに続いて、ファクシミリ装置１００は、図９に示す受信レポートＲ３を印刷する（ステップ＃２０７）。受信レポートＲ３には未送信のページ数と、続きのページがある旨が印刷されている。これにより、受信者はまだ送信され得る画像データがあることを認識することができる。また、受信者は、遅れて到着した画像データに基づく印刷物と先に到着した画像データに基づく印刷物とが関連して一連の印刷物であると容易に認識することができる。そして、ファクシミリ装置１００は一連のファクシミリ受信動作を終了させる（図８のエンド）。
【００８９】
また、ステップ＃２０５において遅着画像データを受信した場合（ステップ＃２０５のＹｅｓ）、ファクシミリ装置１００は待ち時間が経過したことにより、この遅着画像データに対応する先に受信した画像データである先着画像データをすでに印刷したか否かを判定する（ステップ＃２０８）。
【００９０】
先着画像データが印刷済である場合（ステップ＃２０８のＹｅｓ）、ファクシミリ装置１００は印刷部１０２を制御し、受信した遅着画像データの印刷に先立って図１０に示す受信レポートＲ４を印刷させる（ステップ＃２０９）。受信レポートＲ４には先着画像データの続きである旨と、先着ページの縮小画像とが印刷されている。これにより、受信者は、遅れて到着した画像データに基づく印刷物と先に到着した画像データに基づく印刷物とが関連して一連の印刷物であると容易に認識することができる。また、先に印刷されたページが示され、遅れて到着した画像データに基づく印刷物が先に印刷された画像データのうちどの印刷物に連なるものかを容易に把握することができる。そして、ファクシミリ装置１００は印刷部１０２を制御して受信した遅着画像データを印刷させ（ステップ＃２１０）、一連のファクシミリ受信動作を終了させる（図８のエンド）。
【００９１】
また、ステップ＃２０８において先着画像データが印刷済でない場合（ステップ＃２０８のＮｏ）、ファクシミリ装置１００は印刷部１０２を制御し、先着画像データと遅着画像データと連結させて一括印刷させる（ステップ＃２１１）。これにより、待ち時間中に遅れて画像データが到達すれば、送信が複数回に分割されて受信に時間差があっても一連の画像データをまとめて印刷することができる。したがって、受信者は全画像データを一連の印刷物として得ることができる。そして、ファクシミリ装置１００は一連のファクシミリ受信動作を終了させる（図８のエンド）。
【００９２】
以上、本発明の実施形態につき説明したが、本発明の範囲はこれに限定されるものではなく、発明の主旨を逸脱しない範囲で種々の変更を加えて実施することができる。
【産業上の利用可能性】
【００９３】
本発明は、ファクシミリ送信時に課金を行うファクシミリ装置及びファクシミリ通信システムにおいて利用可能である。
【符号の説明】
【００９４】
１    複合機（送信側ファクシミリ装置）
４    画像読取部
５    操作パネル（設定入力部、表示部、出力部）
６    印刷部（第１印刷部、出力部）
２０  本体制御部
２３  記憶部
３０  通信部（第１通信部）
４０  課金装置
１００  ファクシミリ装置（受信側ファクシミリ装置）
１０１  通信部（第２通信部）
１０２  印刷部（第２印刷部）
Ｓ    ファクシミリ通信システム
【図１】
2012054631.tif 000003
【図２】
2012054631.tif 000004
【図３】
2012054631.tif 000005
【図４】
2012054631.tif 000006
【図５】
2012054631.tif 000007
【図６】
2012054631.tif 000008
【図７】
2012054631.tif 000009
【図８】
2012054631.tif 000010
【図９】
2012054631.tif 000011
【図１０】
2012054631.tif 000012